(57)【要約】【課題】視聴者がチャンネルを切り替える際に表示される情報量が多い場合にも、視聴者が情報を読み終えることができ、かつ、テレビジョン映像の視認性を向上できるテレビジョン受信機、このテレビジョン受信機における電子番組情報表示方法、電子番組情報表示プログラム、及び記録媒体の提供。【解決手段】テレビジョン受信機は、チューナーと、電子番組情報を取得するＥＰＧ情報取得装置と、電子番組情報を画像表示装置上に表示する制御装置５１とを備える。制御装置５１は、テレビジョン放送信号に応じた電子番組情報を取得する電子番組情報取得部５１１と、電子番組情報の情報量を算出する情報量算出部５１２と、この情報量に対応する電子番組情報の表示時間を設定する表示時間設定部５１３と、設定された表示時間の間、電子番組情報を画像表示装置に表示した後、これらの情報の表示を消去する情報表示部５１４とを備える。【選択図】図２
2007306473.tif 000002
【特許請求の範囲】
【請求項１】
視聴者によるチャンネルの切替操作を検出し、チャンネルの選局を実行するチャンネル切替操作実行手段と、
前記チャンネル切替操作実行手段により選局されたチャンネルに係るテレビジョン放送信号を受信する放送信号受信手段と、
前記放送信号受信手段により受信したテレビジョン放送信号に重畳される電子番組情報を取得して記憶する電子番組情報記憶手段と、
前記放送信号受信手段により受信したテレビジョン放送信号に基づいて、テレビジョン映像を生成し、該テレビジョン映像と、前記電子番組情報記憶手段により取得された電子番組情報とを重畳させて画像表示装置上に表示する映像表示制御手段とを備えて構成されるテレビジョン受信機であって、
前記映像表示制御手段は、前記チャンネル切替操作実行手段により選局されたチャンネルに応じた電子番組情報を、前記電子番組情報記憶手段により取得して記憶された電子番組情報の中から取得する電子番組情報取得部と、
前記電子番組情報取得部により取得された電子番組情報の情報量を算出する情報量算出部と、
前記情報量算出部により算出された情報量に対応する電子番組情報の表示時間を設定する表示時間設定部と、
表示時間設定部により設定された表示時間の間、電子番組情報を画像表示装置に表示した後、該電子番組情報の表示を消去する電子番組情報表示部とを備えることを特徴とするテレビジョン受信機。
【請求項２】
請求項１に記載のテレビジョン受信機において、
前記映像表示制御手段は、前記電子番組情報表示部による電子番組情報の表示とともに、前記チャンネル切替操作実行手段で選局されたチャンネルのチャンネル番号情報、及び時刻情報の少なくともいずれか一方を、一定期間表示させるチャンネル番号情報／時刻情報表示部を備え、
前記表示時間設定部による電子番組情報の表示時間は、前記チャンネル番号情報、及び時刻情報の表示時間とは別個に設定されることを特徴とするテレビジョン受信機。
【請求項３】
請求項１または請求項２に記載のテレビジョン受信機において、
前記電子番組情報表示部により表示される電子番組情報は、表示輝度を徐々に低下させることにより消去されることを特徴とするテレビジョン受信機。
【請求項４】
視聴者によるチャンネルの切替操作を検出し、チャンネルの選局を実行するチャンネル切替操作実行手段と、
前記チャンネル切替操作実行手段により選局されたチャンネルに係るテレビジョン放送信号を受信する放送信号受信手段と、
前記放送信号受信手段により受信したテレビジョン放送信号に重畳される電子番組情報を取得して記憶する電子番組情報記憶手段と、
前記放送信号受信手段により受信したテレビジョン放送信号に基づいて、テレビジョン映像を生成し、該テレビジョン映像と、前記電子番組情報記憶手段により取得された電子番組情報とを重畳させて画像表示装置上に表示する映像表示制御手段とを備えて構成されるテレビジョン受信機で実行される電子番組情報表示方法であって、
前記映像表示制御手段が、前記チャンネル切替操作実行手段により選局されたチャンネルに応じた電子番組情報を、前記電子番組情報記憶手段により取得して記憶された電子番組情報の中から取得する電子番組情報取得工程と、
前記電子番組情報取得工程により取得された電子番組情報の情報量を算出する情報量算出工程と、
前記情報量算出工程により算出された情報量に対応する電子番組情報の表示時間を設定する表示時間設定工程と、
表示時間設定工程により設定された表示時間の間、電子番組情報を画像表示装置に表示した後、該電子番組情報の表示を消去する電子番組情報表示工程とを実行することを特徴とする電子番組情報表示方法。
【請求項５】
視聴者によるチャンネルの切替操作を検出し、チャンネルの選局を実行するチャンネル切替操作実行手段と、
前記チャンネル切替操作実行手段により選局されたチャンネルに係るテレビジョン放送信号を受信する放送信号受信手段と、
前記放送信号受信手段により受信したテレビジョン放送信号に重畳される電子番組情報を取得して記憶する電子番組情報記憶手段と、
前記放送信号受信手段により受信したテレビジョン放送信号に基づいて、テレビジョン映像を生成し、該テレビジョン映像と、前記電子番組情報記憶手段により取得された電子番組情報とを重畳させて画像表示装置上に表示する映像表示制御手段とを備えて構成されるテレビジョン受信機で実行される電子番組情報表示プログラムであって、
前記映像表示制御手段が、前記チャンネル切替操作実行手段により選局されたチャンネルに応じた電子番組情報を、前記電子番組情報記憶手段により取得して記憶された電子番組情報の中から取得する電子番組情報取得工程と、
前記電子番組情報取得工程により取得された電子番組情報の情報量を算出する情報量算出工程と、
前記情報量算出工程により算出された情報量に対応する電子番組情報の表示時間を設定する表示時間設定工程と、
表示時間設定工程により設定された表示時間の間、電子番組情報を画像表示装置に表示した後、該電子番組情報の表示を消去する電子番組情報表示工程とを実行することを特徴とする電子番組情報表示プログラム。
【請求項６】
請求項５に記載の電子番組情報表示プログラムが記録されていることを特徴とするコンピュータに読取可能な記録媒体。
【発明の詳細な説明】
【技術分野】
【０００１】
本発明は、テレビジョン受信機、このテレビジョン受信機における電子番組情報表示方法、電子番組情報表示プログラム、及び記録媒体に関する。
【背景技術】
【０００２】
従来、放送局から放送されるテレビジョン番組の電子番組情報を、チャンネル番号や時刻等の情報とともに、ディスプレイ上に表示することのできるテレビジョン受信機が知られている。
この電子番組情報は、テレビジョン放送信号に重畳させて搬送される電子番組情報、例えば、ＥＰＧ（Electronic Program Guide）情報を用いて生成されるものである。
これらの情報は、一般的に、視聴者がチャンネルを切り替える際には自動的に表示され、視聴の妨げとならないように所定時間経過後に消去される。しかしながら、表示される情報量が多い場合には、視聴者が情報を読み終える前に電子番組情報が消えてしまうことがある。この場合には、視聴者は、テレビジョン受信機本体、またはリモコン等を操作して、再度、電子番組情報を表示させる必要がある。
【０００３】
これに対して、電子番組情報をディスプレイ上に表示するに際して、テレビジョン放送信号に基づくテレビジョン映像を垂直方向に圧縮し、これにより生じた空き領域に電子番組情報を表示する技術が提案されている（例えば、特許文献１参照）。
これによれば、テレビジョン映像と、電子番組情報とを１つのディスプレイ上で同時に表示させることができるため、視聴者は十分に時間をかけて電子番組情報の内容を確認することができる。
【０００４】
【特許文献１】特開２０００−３２４４１８
【発明の開示】
【発明が解決しようとする課題】
【０００５】
しかしながら、特許文献１の方法では、電子番組情報を挿入するために、テレビジョン映像を垂直方向に圧縮しているから、視聴しにくいという問題があった。また、テレビジョン映像と、電子番組情報とを同時に表示するにあたって、通常画面からの切り替えを必要とするため、手間がかかるという問題もあった。
【０００６】
本発明の目的は、視聴者がチャンネルを切り替える際に表示される情報量が多い場合にも、視聴者が情報を読み終えることができ、かつ、テレビジョン映像の視認性を向上できるテレビジョン受信機、このテレビジョン受信機における電子番組情報表示方法、電子番組情報表示プログラム、及び記録媒体を提供することにある。
【課題を解決するための手段】
【０００７】
本発明のテレビジョン受信機は、視聴者によるチャンネルの切替操作を検出し、チャンネルの選局を実行するチャンネル切替操作実行手段と、前記チャンネル切替操作実行手段により選局されたチャンネルに係るテレビジョン放送信号を受信する放送信号受信手段と、前記放送信号受信手段により受信したテレビジョン放送信号に重畳される電子番組情報を取得して記憶する電子番組情報記憶手段と、前記放送信号受信手段により受信したテレビジョン放送信号に基づいて、テレビジョン映像を生成し、該テレビジョン映像と、前記電子番組情報記憶手段により取得された電子番組情報とを重畳させて画像表示装置上に表示する映像表示制御手段とを備えて構成されるテレビジョン受信機であって、前記映像表示制御手段は、前記チャンネル切替操作実行手段により選局されたチャンネルに応じた電子番組情報を、前記電子番組情報記憶手段により取得して記憶された電子番組情報の中から取得する電子番組情報取得部と、前記電子番組情報取得部により取得された電子番組情報の情報量を算出する情報量算出部と、前記情報量算出部により算出された情報量に対応する電子番組情報の表示時間を設定する表示時間設定部と、表示時間設定部により設定された表示時間の間、電子番組情報を画像表示装置に表示した後、該電子番組情報の表示を消去する電子番組情報表示部とを備えていることを特徴とする。
【０００８】
このような構成によれば、情報量算出部により算出される情報量に応じて電子番組情報の表示時間を変更しているから、電子番組情報の情報量に応じて表示時間を長くすることができ、視聴者は、電子番組情報を読み終えることができる。
また、電子番組情報を表示するにあたって、テレビジョン映像を圧縮等していないから、テレビジョン映像の視認性を向上できる。さらに、電子番組情報は、通常画面のままで表示し、表示時間設定部により設定された表示時間が経過した後に消去しているから、通常画面からの切り替えを必要とせず、手間がかかることもない。
【０００９】
本発明では、前記映像表示制御手段は、前記電子番組情報表示部による電子番組情報の表示とともに、前記チャンネル切替操作実行手段で選局されたチャンネルのチャンネル番号情報、及び時刻情報の少なくともいずれか一方を、一定期間表示させるチャンネル番号情報／時刻情報表示部を備え、前記表示時間設定部による電子番組情報の表示時間は、前記チャンネル番号情報、及び時刻情報の表示時間とは別個に設定されることが好ましい。
【００１０】
このような構成によれば、電子番組情報の表示時間は、チャンネル番号情報、及び時刻情報の表示時間とは別個に設定されるから、例えば、電子番組情報の表示時間を、チャンネル番号情報、及び時刻情報の表示時間より長く設定することにより、電子番組情報のみを、視聴者が情報を読み終えるまで表示しておくことができる。すなわち、短時間で視認できる部分は、表示時間が短く設定されるから、テレビジョン映像の視認性をさらに向上できる。
【００１１】
本発明では、前記電子番組情報表示部により表示される電子番組情報は、表示輝度を徐々に低下させることにより消去されることが好ましい。
このような構成によれば、視聴者は、電子番組情報の表示が消去されるまでの時間を予測することができるから、さらに情報を読み終えやすくなる。
【００１２】
本発明の電子番組情報表示方法は、視聴者によるチャンネルの切替操作を検出し、チャンネルの選局を実行するチャンネル切替操作実行手段と、前記チャンネル切替操作実行手段により選局されたチャンネルに係るテレビジョン放送信号を受信する放送信号受信手段と、前記放送信号受信手段により受信したテレビジョン放送信号に重畳される電子番組情報を取得して記憶する電子番組情報記憶手段と、前記放送信号受信手段により受信したテレビジョン放送信号に基づいて、テレビジョン映像を生成し、該テレビジョン映像と、前記電子番組情報記憶手段により取得された電子番組情報とを重畳させて画像表示装置上に表示する映像表示制御手段とを備えて構成されるテレビジョン受信機で実行される電子番組情報表示方法であって、前記映像表示制御手段が、前記チャンネル切替操作実行手段により選局されたチャンネルに応じた電子番組情報を、前記電子番組情報記憶手段により取得して記憶された電子番組情報の中から取得する電子番組情報取得工程と、前記電子番組情報取得工程により取得された電子番組情報の情報量を算出する情報量算出工程と、前記情報量算出工程により算出された情報量に対応する電子番組情報の表示時間を設定する表示時間設定工程と、表示時間設定工程により設定された表示時間の間、電子番組情報を画像表示装置に表示した後、該電子番組情報の表示を消去する電子番組情報表示工程とを実行することを特徴とする。
【００１３】
本発明に係る電子番組情報表示方法は、前述したテレビジョン受信機の作用および効果と同様の作用および効果を享受することができる。
また、本発明は、前記電子番組情報表示方法をコンピュータに実行させるプログラムとしても構成することができ、さらには、このプログラムを記録したコンピュータに読取可能な記録媒体としても構成することができる。
【発明を実施するための最良の形態】
【００１４】
以下、本発明の実施形態を図面に基づいて説明する。
〔第１実施形態〕
図１は、本発明の実施形態におけるテレビジョン受信機のブロック図である。
テレビジョン受信機１は、図１に示すように、受信機本体２と、この受信機本体２を遠隔操作するリモコン（リモートコントローラ）３とを備えている。
リモコン３は、複数の操作キーを備え、視聴者により操作キーが押下されてチャンネルが切り替えられると、押下された操作キーに応じた操作信号を赤外線により受信機本体２に送信する。なお、リモコン３は、赤外線によって操作信号を送信するとしたが、電波によって操作信号を送信するように構成してもよい。
【００１５】
受信機本体２は、視聴者によるチャンネルの切替操作を検出し、操作に応じたテレビジョン放送信号を受信して、映像、及び音声を出力するものであり、チャンネル切替操作実行手段４と、制御手段５と、放送信号受信手段６と、映像音声出力手段８と、画像表示装置９と、スピーカ１０とを備えている。
また、この受信機本体２は、テレビジョン放送信号に重畳されるＥＰＧ情報を取得することが可能であり、ＥＰＧ情報受信手段７を備えて構成される。
【００１６】
チャンネル切替操作実行手段４は、リモコン３により送信される操作信号を受信するリモコン受光装置４１と、リモコン受光装置４１の受信する操作信号から、視聴者が選局したチャンネルの情報を取得するキー入力処理装置４２とを備えて構成されている。
【００１７】
制御手段５は、受信機本体２の各装置に接続されるとともに、各装置の制御を行う制御装置５１と、制御装置５１に接続されるメモリ５２とを備えて構成されている。
制御装置５１は、キー入力処理装置４２から、視聴者が選局したチャンネルの情報を受信する。
この際、視聴者が選局したチャンネルのチャンネル番号情報がメモリ５２に記憶され、さらに、この時の現在時刻が選局時刻情報としてメモリ５２に記憶される。これらの情報は、視聴者が選局を行うたびに蓄積して記憶され、所定時間が経過するとメモリ５２から削除される。
【００１８】
放送信号受信手段６は、制御装置５１から視聴者が選局したチャンネルの情報を受信する選局処理装置６１と、選局処理装置６１から操作されることにより、アンテナ（図示せず）を介して受信されるテレビジョン放送信号から視聴者が選局したチャンネルを受信するチューナー６２とを備えている。
【００１９】
電子番組情報記憶手段としてのＥＰＧ情報受信手段７は、チューナー６２が受信したテレビジョン放送信号に重畳させて搬送されるＥＰＧ情報を取得するＥＰＧ情報取得装置７１と、ＥＰＧ情報取得装置７１により取得されるＥＰＧ情報を、制御装置５１を介してメモリ５２に記憶するＥＰＧ情報記憶装置７２とを備えている。このＥＰＧ情報には、テレビジョン放送信号により放映されるテレビジョン番組の電子番組情報（放映日、放映開始時刻、放映終了時刻、番組名、番組内容、ジャンル等）が含まれている。
【００２０】
映像表示制御手段としての映像音声出力手段８は、チューナー６２が受信したテレビジョン放送信号を、入力選択装置１１を介して受信し、映像信号、及び音声信号とに分離する映像音声処理装置８１と、映像音声処理装置８１により分離された映像信号（テレビジョン映像）と、ＥＰＧ情報記憶装置７２によりメモリ５２に記憶されたＥＰＧ情報とを重畳させて画像表示装置９に出力する映像出力装置８２と、映像音声処理装置８１により分離された音声信号をスピーカ１０に出力する音声出力装置８３とを備えている。
【００２１】
なお、入力選択装置１１は、チューナー６２が受信したテレビジョン放送信号を受信する他、例えば、受信機本体２のビデオ入力等の端子（図示せず）に外部接続機器１２が接続され、外部接続機器１２から映像信号等の信号を受信する場合がある。この場合には、視聴者によりリモコン３の操作キーが押下されることによりチャンネル切替操作実行手段４、及び制御手段５を介して入力選択装置１１が操作され、映像音声処理装置８１が受信する信号を切り替えることができる。
【００２２】
制御装置５１は、図２に示すように、電子番組情報取得部５１１と、情報量算出部５１２と、表示時間設定部５１３と、情報表示部（電子番組情報表示部、及びチャンネル番号情報／時刻情報表示部）５１４とを備えている。
【００２３】
電子番組情報取得部５１１は、チューナー６２が受信したテレビジョン放送信号に応じた電子番組情報を、ＥＰＧ情報記憶装置７２によりメモリ５２に記憶された電子番組情報の中から取得する。
情報量算出部５１２は、電子番組情報取得部５１１により取得された電子番組情報の情報量を算出する。なお、本第１実施形態においては、情報量は文字数とする。
【００２４】
表示時間設定部５１３は、情報量算出部５１２により算出される情報量に対応する電子番組情報の表示時間、及び視聴者が選局したチャンネルのチャンネル番号情報と時刻情報の表示時間を設定する。
この表示時間設定部５１３は、メモリ５２に記憶された図３に示されるルックアップテーブル（以下、ＬＵＴとする）を参照しながら、表示時間の設定を行う。ＬＵＴは、文字数と表示時間を対応させたテーブルとして構成され、情報量算出部５１２で算出された電子番組情報の情報量から、表示時間を参照する。
情報表示部５１４は、表示時間設定部５１３により設定された表示時間の間、電子番組情報、チャンネル番組情報、及び時刻情報を画像表示装置９に表示した後、これらの情報の表示を消去する。
【００２５】
次に、テレビジョン受信機１の電子番組情報表示方法について説明する。
電子番組情報表示方法は、図４に示すように、電子番組情報取得工程Ｓ１、情報量算出工程Ｓ２、表示時間設定工程Ｓ３、及び電子番組情報表示工程Ｓ４を備える。以下、各工程について図３から図５を参照して詳述する。
図３は、前述のＬＵＴ、図４は、本発明の第１実施形態における電子番組情報表示方法の各工程を示したフローチャート、図５は、視聴者がチャンネルを切り替える際の、画像表示装置９のディスプレイの状態である。
【００２６】
はじめに、視聴者は、図５の画像Ｇ１に示されるように、ＢＳ１０１チャンネルを視聴しているものとする。
次に、例えば、視聴者によりＢＳ１０２チャンネルに切り替えられると、チャンネル切替操作実行手段４が、視聴者によるチャンネルの切替操作を検出し、チャンネルの選局を実行する。次いで、電子番組情報取得部５１１によって、電子番組情報取得工程Ｓ１が実行される。
電子番組情報取得部５１１は、チューナー６２が受信したテレビジョン放送信号に応じた電子番組情報を、ＥＰＧ情報記憶装置７２によりメモリ５２に記憶された電子番組情報の中から取得する。なお、本第１実施形態においては、番組名のみを取得する。
【００２７】
電子番組情報が取得されると、情報量算出部５１２によって、情報量算出工程Ｓ２が実行される。
情報量算出部５１２は、電子番組情報取得部５１１により取得された電子番組情報の情報量を算出する。例えば、ＢＳ１０２チャンネルの番組名が「ニュースストップ」であったとすると、情報量としての文字数は「８」となる。
【００２８】
電子番組情報の情報量が算出されると、表示時間設定部５１３によって、表示時間設定工程Ｓ３が実行される。
表示時間設定部５１３は、まず、チャンネル番号情報、及び時刻情報の表示時間として、例えば、本実施形態においては、Ｔ１に１秒を設定する（Ｓ３１）。表示時間設定部５１３は、次に、メモリ５２に記憶されたＬＵＴ（図３）により、情報量算出部５１２が算出した情報量に対応する表示時間を設定する。情報量算出部５１２により算出された情報量は「８」であるのでＴ２に０秒を設定する（Ｓ３２）。
【００２９】
電子番組情報、チャンネル番号情報、及び時刻情報の表示時間が設定されると、情報表示部５１４によって、電子番組情報表示工程Ｓ４が実行される。
情報表示部５１４は、図５の画像Ｇ２に示されるように、まず、映像出力装置８２に取得した電子番組情報、チャンネル番号情報、及び時刻情報を送信して、画像表示装置９のディスプレイに、これらの情報をテレビジョン映像とともに表示させる（Ｓ４１）。
【００３０】
情報表示部５１４は、次に、タイマをスタートさせ（Ｓ４２）、チャンネル切替操作実行手段４が、視聴者によるチャンネルの切替操作を検出するか、Ｔ１に設定されている表示時間である１秒が経過するまでタイマを監視する（Ｓ４３、Ｓ４４）。この際、情報表示部５１４は、視聴者によるチャンネル、例えば、ＢＳ１０３チャンネルへの切替操作を検出すると（Ｓ４３）、画像表示装置９のディスプレイに表示されている電子番組情報、チャンネル番号情報、及び時刻情報を消去して（Ｓ４５）、再度、電子番組情報取得部５１１によって、電子番組情報取得工程Ｓ１が実行される。なお、この場合における各工程については後述する。
【００３１】
一方、Ｔ１に設定されている表示時間が経過すると（Ｓ４４）、チャンネル番号情報、及び時刻情報が消去され（Ｓ４６）、チャンネル切替操作実行手段４が、視聴者によるチャンネルの切替操作を検出するか、Ｔ２に設定されている表示時間である０秒が経過するまでタイマを監視する（Ｓ４７、Ｓ４８）。この際、情報表示部５１４は、視聴者によるチャンネルの切替操作を検出すると（Ｓ４７）、画像表示装置９のディスプレイに表示されている電子番組情報を消去して（Ｓ４５）、再度、電子番組情報取得部５１１によって、電子番組情報取得工程Ｓ１が実行される。一方、Ｔ２に設定されている表示時間が経過すると（Ｓ４８）、電子番組情報が消去される（Ｓ４９）。
【００３２】
すなわち、この場合には、図５の画像Ｇ３に示されるように、Ｔ２に設定されている表示時間は０秒であるから、電子番組情報、チャンネル番号情報、及び時刻情報は、タイマがスタートしてから１秒後に消去される。
【００３３】
次に、情報表示部５１４が、電子番組情報表示工程Ｓ４において、Ｔ１に設定されている表示時間である１秒が経過するより前に、視聴者によるチャンネル、例えば、ＢＳ１０３へのチャンネルの切替操作を検出した場合（Ｓ４３）における各工程について説明する。
この場合においては、前述のように、画像表示装置９のディスプレイに表示されている電子番組情報、チャンネル番号情報、及び時刻情報を消去して、再度、電子番組情報取得部５１１によって、電子番組情報取得工程Ｓ１が実行される。そして、情報量算出部５１２によって、情報量算出工程Ｓ２が実行され、次いで、表示時間設定部５１３によって、表示時間設定工程Ｓ３が実行される。
【００３４】
表示時間設定部５１３は、まず、チャンネル番号情報、及び時刻情報の表示時間として、例えば、本実施形態においては、Ｔ１に１秒を設定する（Ｓ３１）。表示時間設定部５１３は、次に、メモリ５２に記憶されたＬＵＴ（図３）により、情報量算出部５１２が算出した情報量に対応する表示時間を設定する。例えば、ＢＳ１０３チャンネルの電子番組情報が「ドラマ２３「古華忍三郎」＃２１「入浴剤混入殺人事件美人女将を追え」」であったとすると、情報量としての文字数は「３３」であるのでＴ２に０．５秒を設定する（Ｓ３２）。
【００３５】
電子番組情報の表示時間が設定されると、情報表示部５１４によって、電子番組情報表示工程Ｓ４が実行される。
情報表示部５１４は、図５の画像Ｇ４に示されるように、まず、映像出力装置８２に取得した電子番組情報、チャンネル番号情報、及び時刻情報を送信して画像表示装置９のディスプレイにテレビジョン映像とともに表示させる（Ｓ４１）。
【００３６】
情報表示部５１４は、次に、タイマをスタートさせ（Ｓ４２）、チャンネル切替操作実行手段４が、視聴者によるチャンネルの切替操作を検出するか、Ｔ１に設定されている表示時間である１秒が経過するまでタイマを監視する（Ｓ４３、Ｓ４４）。
そして、図５の画像Ｇ５に示されるように、Ｔ１に設定されている表示時間が経過すると（Ｓ４４）、チャンネル番号情報、及び時刻情報が消去され（Ｓ４６）、チャンネル切替操作実行手段４が、視聴者によるチャンネルの切替操作を検出するか、Ｔ２に設定されている表示時間である０．５秒が経過するまでタイマを監視する（Ｓ４７、Ｓ４８）。そして、図５の画像Ｇ６に示されるように、Ｔ２に設定されている表示時間が経過すると（Ｓ４８）、電子番組情報が消去される（Ｓ４９）。
【００３７】
なお、情報表示部５１４が、電子番組情報表示工程Ｓ４において、Ｔ１に設定されている表示時間である１秒が経過するより前に、視聴者によるチャンネルの切替操作を検出した場合（Ｓ４３、Ｓ４７）において、新たに選局されたチャンネルと、メモリ５２に記憶されているいずれかのチャンネル番号情報とが同じ場合には、このチャンネルに対応する選局時刻情報と、現在時刻との差が所定時間内であれば、チャンネル番号情報、及び時刻情報の表示時間であるＴ１を短く、例えば、０．５秒等に設定する。
【００３８】
前記第１実施形態に係るテレビジョン受信機１によれば、次のような効果がある。
（１）電子番組情報の情報量から、表示時間を参照するＬＵＴにより、電子番組情報の情報量に応じて表示時間Ｔ２を変更しているから、電子番組情報の情報量に応じて表示時間を長くすることができ、視聴者は、電子番組情報を読み終えることができる。
（２）電子番組情報を表示するにあたって、テレビジョン映像を圧縮等していないから、テレビジョン映像の視認性を向上できる。
（３）電子番組情報は、通常画面のままで表示し、表示時間設定部５１３により設定された表示時間が経過した後に消去しているから、通常画面からの切り替えを必要とせず、手間がかかることもない。
【００３９】
（４）電子番組情報の表示時間Ｔ２は、チャンネル番号情報、及び時刻情報の表示時間Ｔ１とは別個に設定されているから、電子番組情報のみを、視聴者が情報を読み終えるまで表示しておくことができる。すなわち、短時間で視認できるチャンネル番号情報、及び時刻情報は、表示時間が短く設定されているから、テレビジョン映像の視認性をさらに向上できる。
（５）新たに選局されたチャンネルと、メモリ５２に記憶されているいずれかのチャンネル番号情報が同じ場合には、このチャンネルに対応する選局時刻情報と、現在時刻との差が所定時間内であれば、チャンネル番号情報、及び時刻情報の表示時間であるＴ１を短く設定しているから、視聴者が既に読み終えている情報をすぐに消去することができ、テレビジョン映像の視認性をさらに向上できる。
【００４０】
〔第２実施形態〕
図６は、本発明の第２実施形態における電子番組情報表示方法の各工程を示したフローチャートである。本第２実施形態は、前記第１実施形態における、情報表示部５１４により電子番組情報が消去される際の消去方法を、表示時間が経過するとともに表示輝度を徐々に低下させることにより消去されるようにしたものである。
すなわち、情報表示部５１４がＴ２に設定されている表示時間、例えば、０．５秒が経過するまでタイマを監視する際（Ｓ４７、Ｓ４８）、表示時間が経過するとともに表示輝度を徐々に、例えば、０．１秒ごとに５段階で低下させることにより消去する（Ｓ４７１）。
【００４１】
このような本第２実施形態においても、前述の第１実施形態と同様の作用、効果を得ることができる。さらに、視聴者は、電子番組情報の表示が消去されるまでの時間を予測することができるから、さらに情報を読み終えやすくなる。
【００４２】
なお、本発明は前記実施形態に限定されるものではなく、本発明の目的を達成できる範囲での変形、改良等は本発明に含まれるものである。
例えば、チャンネル切替操作実行手段４は、リモコン３からの操作信号を受信するリモコン受光装置４１によりチャンネル切替操作を検出していたが、受信機本体２のスイッチ等により検出してもよく、要するに、視聴者のチャンネル切替操作を検出することができればよい。
また、電子番組情報の情報量は、文字数としたが、例えば、ディスプレイ上に表示される行数や表示エリアの大きさでもよく、要するに、視聴者がその情報を読み終えるのにどの程度の時間を要するかを示すものであればよい。
【００４３】
また、電子番組情報の情報量に対応する表示時間Ｔ２は、ＬＵＴにより求めていたが、計算により求めてもよく、要するに、情報量に応じて表示時間を設定することができればよい。
また、画像表示装置９のディスプレイ上に表示される電子番組情報は、番組名のみであったが、例えば、番組内容やジャンル等を表示してもよく、要するに、テレビジョン放送信号に応じた情報を表示すればよい。
また、電子番組名の消去方法は、所定時間経過後に消去するか、表示時間が経過するとともに徐々に表示が薄くなり消去されるようにしたが、例えば、スクロール等で消去してもよく、要するに、視聴者が読み終わるまで電子番組情報を表示することができ、テレビジョン映像の視認性を向上できればよい。
【図面の簡単な説明】
【００４４】
【図１】本発明の第１実施形態におけるテレビジョン受信機のブロック図である。
【図２】同テレビジョン受信機の制御装置を示すブロック図である。
【図３】電子番組情報の情報量から、表示時間を参照するＬＵＴである。
【図４】本発明の第１実施形態における電子番組情報表示方法の各工程を示したフローチャートである。
【図５】視聴者がチャンネルを切り替える際の、画像表示装置のディスプレイの状態である。
【図６】本発明の第２実施形態における電子番組情報表示方法の各工程を示したフローチャートである。
【符号の説明】
【００４５】
１…テレビジョン受信機、２…受信機本体、４…チャンネル切替操作実行手段、５…制御手段、６…放送信号受信手段、７…ＥＰＧ情報受信手段、８…映像音声出力手段、９…画像表示装置、５１…制御装置、５２…メモリ、５１１…電子番組情報取得部、５１２…情報量算出部、５１３…表示時間設定部、５１４…情報表示部。
【図１】
2007306473.tif 000003
【図２】
2007306473.tif 000004
【図３】
2007306473.tif 000005
【図４】
2007306473.tif 000006
【図５】
2007306473.tif 000007
【図６】
2007306473.tif 000008